(57)【要約】【課題】単方向通信チャネルアグリゲーション技法を使用する場合において、リンクアダプテーションを実現させる技法を提供する。【解決手段】適応変調方式を用いて相手側通信装置と自装置との間で通信を行う通信装置(100)は、相手側通信装置と自装置との間で、双方向通信チャネルでの通信、および、少なくとも１つの単方向通信チャネルでの通信を確立させて通信を行う通信部(110)と、通信部によって確立されたなくとも１つの単方向通信チャネルを介して相手側通信装置から自装置へ送信され、通信部により受信された信号の受信信号品質を示す情報を取得する受信信号品質情報取得部(130)と、受信信号品質情報取得部で取得された、少なくとも１つの単方向通信チャネルにおける受信信号品質に関する情報を、双方向通信チャネルを介して相手側通信装置に送信するように通信部を制御する制御部(120)とを具える。【選択図】図１
2009010632.tif 000002
【特許請求の範囲】
【請求項１】
適応変調方式を用いて相手側通信装置と自装置との間で通信を行う通信装置において、
前記相手側通信装置と自装置との間で、双方向通信チャネルでの通信、および、少なくとも１つの単方向通信チャネルでの通信を確立させて通信を行う通信部と、
前記通信部によって確立された前記少なくとも１つの単方向通信チャネルを介して前記相手側通信装置から自装置へ送信され、前記通信部により受信された信号の受信信号品質を示す情報を取得する受信信号品質情報取得部と、
前記受信信号品質情報取得部で取得された、前記少なくとも１つの単方向通信チャネルにおける受信信号品質に関する情報を、前記双方向通信チャネルを介して前記相手側通信装置に送信するように前記通信部を制御する制御部と、
を具える通信装置。
【請求項２】
請求項１に記載の通信装置において、
前記相手側通信装置と自装置との間でやりとりされる信号のタイプフィールドの識別子と、単方向通信チャネルにおける受信信号品質を示す情報の、前記やりとりされる信号内の位置とを対応付けたテーブルを格納する記憶部をさらに具える、
ことを特徴とする通信装置。
【請求項３】
請求項２に記載の通信装置において、
前記制御部が、
前記少なくとも１つの単方向通信チャネルの受信信号品質を示す情報を、前記テーブルの対応付けに応じた位置に配置した信号を、前記双方向通信チャネルを介して前記相手側通信装置に送信するように前記通信部を制御する、
ことを特徴とする通信装置。
【請求項４】
請求項２に記載の通信装置において、
前記単方向通信チャネルが複数であり、
前記制御部が、
前記複数の単方向通信チャネルの各々の受信信号品質を示す各情報を、前記テーブルの対応付けに応じた位置にそれぞれ配置した信号を、前記双方向通信チャネルを介して前記相手側通信装置に送信するように前記通信部を制御する、
ことを特徴とする通信装置。
【請求項５】
第１の通信装置と第２の通信装置との間で適応変調方式を用いて通信を行う通信システムにおいて、
前記第１の通信装置が、
前記第２の通信装置と自装置との間で、双方向通信チャネルでの通信、および、少なくとも１つの単方向通信チャネルでの通信を確立させて通信を行う通信部と、
前記通信部によって確立された前記少なくとも１つの単方向通信チャネルを介して前記第２の通信装置から自装置へ送信され、前記通信部により受信された信号の受信信号品質を示す情報を取得する受信信号品質情報取得部と、
前記受信信号品質情報取得部で取得された、前記少なくとも１つの単方向通信チャネルにおける受信信号品質に関する情報を、前記双方向通信チャネルを介して前記第２の通信装置に送信するように前記通信部を制御する制御部とを具え、
前記第２の通信装置が、
前記第１の通信装置と自装置との間で、双方向通信チャネルでの通信、および、少なくとも１つの単方向通信チャネルでの通信を確立させて通信を行う通信部と、
前記双方向通信チャネルを介して前記第１の通信装置から送信され、前記少なくとも１つの単方向通信チャネルにおける受信信号品質に関する情報を含む信号を受信し、該受信した信号に含まれる情報に応じて、該少なくとも１つの単方向通信チャネルの変調方式を適応的に調整するよう前記通信部を制御する制御部とを具える、
ことを特徴とする無線通信システム。
【請求項６】
請求項５に記載の通信システムにおいて、
前記第１の通信装置が、
前記第２の通信装置と自装置との間でやりとりされる信号のタイプフィールドの識別子と、単方向通信チャネルにおける受信信号品質を示す情報の、前記やりとりされる信号内の位置とを対応付けたテーブルを格納する記憶部をさらに具える、
ことを特徴とする通信システム。
【請求項７】
請求項６に記載の通信システムにおいて、
前記第１の通信装置における前記制御部が、
前記少なくとも１つの単方向通信チャネルにおける受信信号品質を示す情報を、前記テーブルの対応付けに応じた位置に配置した信号を、前記双方向通信チャネルを介して前記第２の通信装置に送信するように前記通信部を制御する、
ことを特徴とする無線通信システム。
【請求項８】
請求項５〜７のいずれか１項に記載の通信システムにおいて、
前記第２の通信装置が、
前記第１の通信装置と前記第２の通信装置との間でやりとりされる信号のタイプフィールドの識別子と、単方向通信チャネルにおける受信信号品質を示す情報の、前記やりとりされる信号内の位置とを対応付けたテーブルを格納する記憶部をさらに具え、
前記第２の通信装置における前記制御部が、
前記テーブルを参照して、前記受信された信号から前記少なくとも１つの単方向通信チャネルにおける受信信号品質を示す情報を取得し、該取得した情報に応じて、該少なくとも１つの単方向通信チャネルの変調方式を適応的に調整する、
ことを特徴とする通信システム。
【請求項９】
第１の通信装置と第２の通信装置との間で適応変調方式を用いて通信を行う通信方法において、
前記第１の通信装置が、前記第２の通信装置と自装置との間で、双方向通信チャネルでの通信、および、少なくとも１つの単方向通信チャネルでの通信を確立させて通信を行う通信ステップと、
前記第１の通信装置が、前記通信ステップによって確立された前記少なくとも１つの単方向通信チャネルを介して前記第２の通信装置から自装置へ送信され、前記通信部により受信された信号の受信信号品質を示す情報を取得する受信信号品質情報取得ステップと、
前記第１の通信装置が、前記受信信号品質情報取得ステップで取得された、前記少なくとも１つの単方向通信チャネルにおける受信信号品質に関する情報を、前記双方向通信チャネルを介して前記第２の通信装置に送信するように制御する制御ステップと、
前記第２の通信装置が、前記双方向通信チャネルを介して前記第１の通信装置から送信され、前記少なくとも１つの単方向通信チャネルにおける受信信号品質に関する情報を含む信号を受信し、該受信した信号に含まれる情報に応じて、該少なくとも１つの単方向通信チャネルの変調方式を適応的に調整するように制御する制御ステップと、
を有することを特徴とする通信方法。
【発明の詳細な説明】
【技術分野】
【０００１】
本発明は、通信装置、通信システムおよび通信方法に関し、特に、伝送方向において非対称のチャネル数を持つ伝送方式において複数の変調方式から適応的に１つの変調方式を選択して通信を行う通信装置、通信システムおよび通信方法に関する。
【背景技術】
【０００２】
従来、無線通信方式は多数開発されているが、例えば、TDMA-TDD通信方式を用いている無線通信規格に準拠している通信システムにPHS(Personal Handyphone System)やiBurst（登録商標）システムがあり、それぞれ”ARIB STD-28(ARIB)” （非特許文献１）や”High Capacity-Spatial Division Multiple Access (HC-SDMA) WTSC- 2005-032(ATIS/ANSI)”（非特許文献２）で規定されている。無線通信方式の場合、通信を行う２つの通信装置のうち片方、もしくは両方が移動可能である場合があり、この場合はモビリティによるメリットを享受できる半面、無線伝播可能距離を離れて移動した場合は、その期間通信が途絶えることになる。また、仮に通信装置の移動が無い場合でも、電波伝播経路の変化により通信が途絶える期間が発生する場合がある。無線通信方式では、通信の途中中断を避けることが非常に困難となる。
【０００３】
無線通信方式では、互いの送信による伝達状況を受信側からのフィードバックにより知り、この情報を元に、例えば送信出力や、複数の変調方式をサポートする場合は選択する変調方式等を適応的に変更し、最適な無線通信を維持する、リンクアダプテーション技術があり、上述した非特許文献２で具体的な方法が開示されている。一般に、シンボル当りの情報量が多い変調方式は、所要SNR(Signal to Noise Ratio)が高く、ノイズに弱い。反対に、所要SNRの低い変調方式は、シンボルあたりで運搬できる情報量が少なくなる傾向がある。つまり、スループットと対ノイズ耐性とはトレードオフの関係にあり、１つの変調方式のみのサポートでは環境変化に対して柔軟に対応することが困難になる。よって、複数の、変調方式やコーディングレートの組（モジュレーションクラス）により、所要SNRが低いがスループットも悪いモジュレーションクラスから、スループットが高い代わりに所要SNRも高いモジュレーションクラスを、複数用意し、現在のSNRが低い場合は、スループットを犠牲にする代わりに所要SNRが低い変調方式を選択して、場所率を向上させ、反対に現在のSNRが高い場合は、所要SNRが高い変調方式を選択して、スループットを向上させる、リンクアダプテーション方式が有効になる。
【０００４】
リンクアダプテーションには、通信相手から、受信SNRをフィードバックしてもらう方法がある。つまり、自分の発射した電波の品質が通信相手に対してどのように評価されるかは、電波を発射した側では直接知ることができない為、当該電波を受信した通信相手から、直近の受信電波の品質を通知してもらうことにより、次回以降のモジュレーションクラスを決定することによりリンクアダプテーションを実現させることができる。また、リンクアダプテーションでは一般に、発射する電波が、どのモジュレーションクラスであるか判断することが簡単に判る識別子を与える方法がある。つまり、送信側で適応的にモジュレーションクラスを変更した場合、受信側ではどのモジュレーションクラスが選択されたかを知ることができない場合、どのモジュレーションクラスが選択されたかは、可能性のある全てのモジュレーションクラスでのデコードを試みる必要がある。このような構成は回路規模が大きくなると共に処理時間が多くかかるため、実装することが困難になる場合がある。
【０００５】
これを回避するため、バーストフォーマットの一部に、SNR耐性の高い、固定のモジュレーションクラスで冗長性を十分に確保した情報シンボルを付与し、受信側は、受信バーストの主たるインフォーメーションシンボルのデモジュレートに先立ち、この一部の固定モジュレーションクラスで構成される情報シンボルをデモジュレート／デコードし、モジュレーションクラスを調査し、調査したモジュレーションクラスとして、主たるインフォーメーションシンボルのデモジュレートを実施する方法がある。このような構成を取ることにより、回路規模の削減及び処理時間の短縮を実現することができる。
【０００６】
一方、本出願人は、双方向通信チャネルを基本的に使用しながら、データ流量などに応じて追加の双方向通信チャネルを割り当てるチャネルアグリゲーションを行うような通信システムにおいて、アップリンク、ダウンリンク別のデータ流量の状況に応じて、双方向通信チャネルを構成する「片側（単方向）のチャネルのみ」を停止したり（或いは再開したり）、新たに「単方向通信チャネルのみ」を追加したり（或いは開放したり）する、従来とは異なる新規な単方向通信チャネルアグリゲーション技法を開発した（この通信技法については後述する）。このような、アップリンクとダウンリンクとの間でチャネル数が非対称（単方向のチャネル割り当て）となる通信システムでは、反対方向の通信チャネルを持たない「単方向通信チャネル」が存在する。このような「単方向通信チャネル」も、他の双方向通信チャネルと同様に、リンクアダプテーション技術によって、電波伝播路などの電波伝播状況に応じて、変調方式を最適なものに適応的に変更することが望ましい。
【非特許文献１】標準規格“ARIB STD-28(ARIB)”、電波産業会
【非特許文献２】”High Capacity-Spatial Division Multiple Access (HC-SDMA) WTSC- 2005-032(ATIS/ANSI)”
【発明の開示】
【発明が解決しようとする課題】
【０００７】
しかしながら、「単方向通信チャネル」は、リンクアダプテーションを実行するためのフィードバック情報である受信品質情報（例えば、SNRやRSSIなど）を送信するときに使用される、単方向通信チャネルとチャネルペアを形成するべき「反対方向の通信チャネル」が存在せず、受信品質情報を送信することができない。従って、アップリンクチャネルおよびダウンリンクチャネルからなる双方向通信チャネルを前提とする従来のリンクアダプテーション技術は、本出願人が開発した「単方向通信チャネルアグリゲーション技法」を使用する通信システムに適用することが不可能であった。
【０００８】
そこで、本発明の目的は、上述したような単方向通信チャネルアグリゲーション技法を使用する場合において、リンクアダプテーションを実現させる技法（通信装置、通信システムおよび通信方法）を提供することである。
【課題を解決するための手段】
【０００９】
上述した諸課題を解決すべく、第１の発明による通信装置は、
適応変調方式を用いて相手側通信装置と自装置との間で通信を行う通信装置であって、
前記相手側通信装置と自装置との間で、双方向通信チャネルでの通信、および、少なくとも１つの単方向通信チャネルでの通信を確立させて通信を行う通信部と、
前記通信部によって確立された前記少なくとも１つの単方向通信チャネルを介して前記相手側通信装置から自装置へ送信され、前記通信部により受信された信号の受信信号品質を示す情報を取得する受信信号品質情報取得部と、
前記受信信号品質情報取得部で取得された、前記少なくとも１つの単方向通信チャネルにおける受信信号品質に関する情報を、前記双方向通信チャネルを介して前記相手側通信装置に送信するように前記通信部を制御する制御部と、
を具える。
【００１０】
また、第２の発明による通信装置は、
前記相手側通信装置と自装置との間でやりとりされる信号のタイプフィールドの識別子（例えば、ビットパターン）と、単方向通信チャネルにおける受信信号品質を示す情報の、前記やりとりされる信号内の位置とを対応付けたテーブルを格納する記憶部をさらに具える、
ことを特徴とする。
【００１１】
また、第３の発明による通信装置は、
前記制御部が、
前記少なくとも１つの単方向通信チャネルの受信信号品質を示す情報を、前記テーブルの対応付けに応じた位置に配置した信号を、前記双方向通信チャネルを介して前記相手側通信装置に送信するように前記通信部を制御する、
ことを特徴とする。
【００１２】
また、第４の発明による通信装置は、
前記単方向通信チャネルが複数であり、
前記制御部が、
前記複数の単方向通信チャネルの各々の受信信号品質を示す各情報を、前記テーブルの対応付けに応じた位置にそれぞれ配置した信号を、前記双方向通信チャネルを介して前記相手側通信装置に送信するように前記通信部を制御する、
ことを特徴とする。
【００１３】
また、第５の発明による通信システムは、
第１の通信装置と第２の通信装置との間で適応変調方式を用いて通信を行う通信システムであって、
前記第１の通信装置が、
前記第２の通信装置と自装置との間で、双方向通信チャネルでの通信、および、少なくとも１つの単方向通信チャネルでの通信を確立させて通信を行う通信部と、
前記通信部によって確立された前記少なくとも１つの単方向通信チャネルを介して前記第２の通信装置から自装置へ送信され、前記通信部により受信された信号の受信信号品質を示す情報を取得する受信信号品質情報取得部と、
前記受信信号品質情報取得部で取得された、前記少なくとも１つの単方向通信チャネルにおける受信信号品質に関する情報を、前記双方向通信チャネルを介して前記第２の通信装置に送信するように前記通信部を制御する制御部とを具え、
前記第２の通信装置が、
前記第１の通信装置と自装置との間で、双方向通信チャネルでの通信、および、少なくとも１つの単方向通信チャネルでの通信を確立させて通信を行う通信部と、
前記双方向通信チャネルを介して前記第１の通信装置から送信され、前記少なくとも１つの単方向通信チャネルにおける受信信号品質に関する情報を含む信号を受信し、該受信した信号に含まれる情報に応じて、該少なくとも１つの単方向通信チャネルの変調方式を適応的に調整するよう前記通信部を制御する制御部とを具える、
ことを特徴とする。
【００１４】
また、第６の発明による通信システムは、
前記第１の通信装置が、
前記第２の通信装置と自装置との間でやりとりされる信号のタイプフィールドの識別子（例えば、ビットパターン）と、単方向通信チャネルにおける受信信号品質を示す情報の、前記やりとりされる信号内の位置とを対応付けたテーブルを格納する記憶部をさらに具える、
ことを特徴とする。
【００１５】
また、第７の発明による通信システムは、
前記第１の通信装置における前記制御部が、
前記少なくとも１つの単方向通信チャネルにおける受信信号品質を示す情報を、前記テーブルの対応付けに応じた位置に配置した信号を、前記双方向通信チャネルを介して前記第２の通信装置に送信するように前記通信部を制御する、
ことを特徴とする。
【００１６】
また、第８の発明による通信システムは、
前記第２の通信装置が、
前記第１の通信装置と前記第２の通信装置との間でやりとりされる信号のタイプフィールドの識別子（例えば、ビットパターン）と、単方向通信チャネルにおける受信信号品質を示す情報の、前記やりとりされる信号内の位置とを対応付けたテーブルを格納する記憶部をさらに具え、
前記第２の通信装置における前記制御部が、
前記テーブルを参照して、前記受信された信号から前記少なくとも１つの単方向通信チャネルにおける受信信号品質を示す情報を取得し、該取得した情報に応じて、該少なくとも１つの単方向通信チャネルの変調方式を適応的に調整する、
ことを特徴とする。
【００１７】
上述したように本発明の解決手段を装置（システム）として説明してきたが、本発明はこれらに実質的に相当する方法、プログラム、プログラムを記録した記憶媒体としても実現し得るものであり、本発明の範囲にはこれらも包含されるものと理解されたい。
【００１８】
例えば、本発明を方法として実現させた第９の発明による通信方法は、
第１の通信装置と第２の通信装置との間で適応変調方式を用いて通信を行う通信方法であって、
前記第１の通信装置が、前記第２の通信装置と自装置との間で、双方向通信チャネルでの通信、および、少なくとも１つの単方向通信チャネルでの通信を確立させて通信を行う通信ステップと、
前記第１の通信装置が、前記通信ステップによって確立された前記少なくとも１つの単方向通信チャネルを介して前記第２の通信装置から自装置へ送信され、前記通信部により受信された信号の受信信号品質を示す情報を取得する受信信号品質情報取得ステップと、
前記第１の通信装置が、前記受信信号品質情報取得ステップで取得された、前記少なくとも１つの単方向通信チャネルにおける受信信号品質に関する情報を、前記双方向通信チャネルを介して前記第２の通信装置に送信するように制御する制御ステップと、
前記第２の通信装置が、前記双方向通信チャネルを介して前記第１の通信装置から送信され、前記少なくとも１つの単方向通信チャネルにおける受信信号品質に関する情報を含む信号を受信し、該受信した信号に含まれる情報に応じて、該少なくとも１つの単方向通信チャネルの変調方式を適応的に調整するように制御する制御ステップと、
を有することを特徴とする。
【発明の効果】
【００１９】
本発明によれば、伝送方向で非対称のチャネル数を持つ伝送方式において、対となるチャネルが無い、単方向のチャネルでの送信バースト信号に対する受信信号品質情報（フィードバック情報）を、他のチャネル対の逆方向のチャネルを間借りして送信することにより、リンクアダプテーションを機能させることができる。伝送方向で非対称のチャネル数を持つ伝送方式において、リンクアダプテーションを実現させることにより、スループットと場所率を適応的に向上させる伝送経路の提供と、周波数有効利用効率の高い伝送経路の提供とを両立させることができる。また、単方向通信チャネルには、リンクアダプテーションに使用される受信品質情報などのフィードバック情報を乗せる必要が無いため、結果的に単方向通信チャネルのスループットを向上させることができる。
【発明を実施するための最良の形態】
【００２０】
本発明の原理・構成の説明に先立ち、本発明が対象とする通信システム、タイムスロット構成、本出願人が開発した「単方向通信チャネルアグリゲーション技法」などを説明する。
【００２１】
＜無線リソースの配分方法＞
TDMA-TDDを用いる通信方法では、トラフィックチャネルに用いる無線リソースはTDMA-TDDスロットと周波数チャネルにより決定される。つまり、TDMA-TDDにより時間的に3多重されていて、周波数チャネルが4個使用可能である場合は、12のトラフィックチャネルを用意できる。ただし、TDMA-TDD方式では基地局との同期用チャネルが必要で、１つ以上の無線リソースが例えば報知情報チャネルとして用いられ、トラフィックチャネルとして使用できないことが多い。これらトラフィックチャネルのうち、未使用状態であるトラフィックチャネルを用いることができる。未使用状態の判定方法としては、無線端末側でアップリンク無線チャネルリソースの干渉波測定を行い、測定RSSIが閾値以下であれば未使用であると判断してトラフィックチャネルの開始リクエスト信号を発射する方法がある。”ARIB STD-28(ARIB)”で規定されるようにSLOT付きALOHAアルゴリズムを用いると、衝突時の再リソース選択がよりスムーズに行なわれる可能性が高くなることが知られている。
【００２２】
＜単方向通信チャネルアグリゲーション技法＞
ＳＤＭＡをサポートする通信方式では、適応型アンテナアレイの作動により、同一周波数を空間的に分割することを特徴とするが、ある通信機同士の通信に用いている電波は、同一周波数を兼用する他の通信機の通信において、干渉波になる。この干渉波を少なくして電波（周波数）有効利用効率を高めるために、本出願人は単方向通信チャネルアグリゲーション技法を開発した。
【００２３】
この「単方向通信チャネルアグリゲーション技法」では、ＳＤＭＡを用いた通信システムにおいて、サーバークライアントモデルにおける、アップリンク・ダウンリンクのトラフィック流量の非対称性に着目し、例えば、方向毎に二つ以上のチャネルを使用している状態において、１つの方向において、二つ以上のチャネルを必要とするトラフィック流量であり、かつ、反対方向のトラフィック流量がより少ないチャネル数で事足りるような状況で、片方のチャネルのみを減らす技術に関する。或いは、単方向通信チャネルアグリゲーション技法は、片方のチャネルの帯域が不足している状況において、その帯域が不足している方向のチャネルのみを追加する技術に関する。即ち、不必要な電波の発射を無くすことにより、同一周波数を使用している他の通信装置への妨害波を少なくすることが可能となり、システム全体の電波有効利用率を向上させることが可能となる。また副次的な効果として、無線端末が電池駆動している場合に、片方向のトラフィック流量が少ない状態で、無線端末の電波の発射、もしくは電波の受信機会を減らす効果があり、バッテリーセービングに寄与する効果がある。
【００２４】
従来のリンクアダプテーション技術では、チャネル対（即ち、双方向通信チャネル）において、当該チャネル対の一方のチャネルを経由したデータ送信に対するフィードバック情報として受信信号品質情報を、当該チャネル対の他方のチャネルを用いて送信するが、伝送方向で非対称のチャネル数を持つ本出願人が開発した「単方向通信チャネルアグリゲーション技法」に従来のリンクアダプテーションを適用させようとしても、チャネル対を構成しない、受信信号品質情報を送信すべき経路を持たない単方向通信チャネルが存在する場合があり、従来のリンクアダプテーションは機能しない。対となるチャネルが存在せず、受信信号品質情報を送信すべき経路が存在しない場合であっても、本発明を適用することによって、リンクアダプテーション、即ち、変調方式の適応制御を機能させることが可能となる。
【００２５】
以降、諸図面を参照しながら、本発明の実施態様を詳細に説明する。本発明は、無線通信であるか、または有線通信であるかを問わず適用可能であるが、一般的に、伝送路の状況が急激に変動し易く、本発明を適用するメリットが大きい無線通信方式に本発明を適用させた態様で説明する。また、本発明は、アダプティブアレイアンテナ技術を用いた無線通信装置に適用することもできるが、説明を簡単にするために１つのアンテナを用いた無線通信装置に適用させた態様で説明する。
【００２６】
図１は、本発明の一実施態様による無線通信装置の基本構成を示すブロック図である。図に示すように、無線通信装置１００は、通信部１１０（受信部１１０Ｒ、送信部１１０Ｔ）、装置全体の制御を司る制御部１２０、受信信号品質情報取得部１３０、記憶部１４０、チャネル割当管理部１５０、チャネル流量監視部１６０、チャネル送信状態制御部１７０、およびアンテナＡＮＴを具える。制御部１２０は、自装置とセッションを持った通信相手の無線端末に送信すべきデータがある場合は、アンテナＡＮＴを介して当該データを送信するように送信部１１０Ｔを制御する。アンテナＡＮＴを経て通信部１１０の受信部１１０Ｒが受信した受信信号は、受信信号品質を求めるために受信信号品質情報取得部１３０に供給される。チャネル割当管理部１５０は、自装置と通信相手の無線端末との間のセッションにおけるチャネルの割り当てを管理し、そのチャネル割当状況を記憶部１４０内のチャネル割当テーブルＴＢ２に格納する。記憶部１４０には、さらに基準流量テーブルＴＢ３が設けられており、このテーブルには、方向別のチャネル数に応じた最大伝送流量および基準流量（閾値）が格納されている。例えば、アップリンクについては下記の表のようになる。
【００２７】
【表１】
2009010632.tif 000003
【００２８】
チャネル流量監視部１６０は、例えば、割り当てられたアップリンク側のチャネルのデータトラフィック量を取得する。データトラフィック量は、無線端末から当該無線端末側で滞留しているアップリンクデータ量を受信しても良いし、基地局側の受信したアップリンク信号のデータ量から求めてもよい。チャネル割当管理部１５０は、例えば、取得したアップリンク側のチャネルのデータトラフィック量が、表１（ＴＢ３）における対応するチャネル数の基準流量（閾値）を超えたとき、当該無線端末に対して、アップリンク側のチャネルとダウンリンク側のチャネルからなるチャネルペア（スロットペア、または、双方向通信チャネル）ではなく、「追加のアップリンク側のチャネルのみ」を、新たに割り当てる。追加のアップリンク側のチャネル割当／開放／停止などの状況は、チャネル割当管理部１５０が、チャネル割当テーブルＴＢ２に格納して管理する。例えば、アップリンクチャネルが１本割り当てられているとき、当該セッションのアップリンク流量が、チャネル１個のときの基準流量１００kbpsを超えたときは、追加のアップリンク側のチャネルのみを、新たに割り当てる。そして、アップリンク流量が、基準流量１００kbps未満になったときは、この新たに割り当てた追加のアップリンク側のチャネルの送信状態を制御する。例えば、送信の少なくとも一部（例えば、当該チャネルの１スロットにおける時間間隔の一部や全体の送信を停止する、或いは、１以上のフレームおきにスロットを間欠的に停止するなど）を停止することによって、当該追加のアップリンク側のチャネルの使用状態（即ち、送信状態など）を制御する。このように、送信状態を制御することによって、リソース（追加のアップリンク側チャネル）を開放せずに、消費電力を削減することができるようになる。なお、再度、アップリンク流量が増加して基準流量を超える場合には、当該リソースの割当てを完了しているため、リソース（追加のアップリンク側チャネル）を即座に再使用することが可能である。
【００２９】
また、上述したように追加のアップリンクチャネルの新規割り当てによって、合計２本のアップリンクチャネルが割り当てられている場合において、当該セッションのアップリンク流量が、チャネル２個のときの基準流量２００kbpsを超えたときは、追加のアップリンクチャネルをもう１個（合計３個）新たに割り当て、合計３個のチャネルでアップリンクデータの送信を行うことも可能である。このように、アップリンク流量に応じて、アップリンク側のチャネルのみを臨機応変に割り当てたり、送信状態を停止したり、再開したりすることによって、不要なダウンリンク側（基地局側）の電波の発射を抑制することができる。また、アップリンク側チャネルの送信停止によってアップリンク信号を送信する無線端末の電力消費を低減し、さらに、当該チャネルと同じタイミングのスロットであり、かつ、同じキャリアを使う空間多重化された別チャネル（スロット）への干渉も低減することが可能となる。さらに、無線端末は、追加で割り当てたチャネルを確保し続けて、後続の通信におけるアップリンク流量の変動に対応することが可能となる。即ち、本方式によれば、チャネルを開放していないため、アップリンクのデータが、そのときの送信状態チャネル数に応じて規定される基準流量／閾値（或いは最大伝送流量をそのまま使用しても良い。）以上になったときだけ、チャネルの再割り当てを要せずに、アップリンク側のチャネルの送信を即座に再開することができるという利点がある。閾値（基準流量）は、チャネル（スロット）の最大伝送流量／速度に応じて任意に定めることができ、送信停止の閾値と送信再開の閾値とにヒステリシス幅を設けて、判定動作がチャタリングするのを防止してもよい。
【００３０】
また、アップリンク流量が、基準流量１００kbps未満になったときは、この新たに割り当てた追加のアップリンク側のチャネル自体を開放（割り当ての解除）することもできる。チャネルを流量に応じて臨機応変に開放することによって、当該無線リソースの使用効率が高まるというメリットがある。他方、チャネルを開放した無線端末にとっては、リソースの確保を継続することができず、再び流量が増加したときに帯域（即ち開放したリソースの再取得）を確保できるか否かが不明であるというデメリットがある。このメリット、デメリット、および無線リソースの消費状況を勘案して、所定の流量未満となったとき追加のアップリンク側のチャネルを開放するか、チャネルを確保したまま一時的に送信を停止するのかを決定することができる。なお、基地局は、「追加のアップリンク側のチャネル」の新規割り当て、停止および開放、などを無線端末とネゴシエーションする必要があるが、これについては後述する。
【００３１】
上述したように、アップリンク側のチャネルのみを追加したり、停止したり、開放したりする態様を説明したが、ダウンリンク側のチャネルも同様の方法で追加したり、停止したり、開放したりすることが可能である。さらに、アップリンク側、ダウンリンク側を問わずに、流量に応じて、一旦、割り当てた双方向通信チャネルのうち、片側の通信チャネルのみを停止したり、開放したりすることも可能である。即ち、本発明は、アップリンク側、ダウンリンク側を問わず、通信方向において非対称のチャネル数で動作する通信装置に対して適用することが可能である。
【００３２】
上述したように、通信部１１０は、相手側通信装置と自装置との間で、双方向通信チャネルでの通信、および、単方向通信チャネルでの通信を確立する。受信信号品質情報取得部１３０は、通信部１１０によって確立された単方向通信チャネルを介して相手側通信装置から自装置へ送信され、通信部１１０の受信部１１０Ｒにより受信された信号に対するフィードバック情報としての受信信号品質情報を取得する。制御部１２０は、受信信号品質情報取得部１３０で取得された、単方向通信チャネルの受信信号品質情報を、双方向通信チャネルを介して相手側通信装置に送信するように通信部１１０の送信部１１０Ｔを制御する。
【００３３】
記憶部１４０は、相手側通信装置と自装置との間でやりとりされる信号のタイプフィールドのビットパターンと、単方向通信チャネルを経て送信された信号の受信信号品質情報の、前記やりとりされる信号内の位置とを対応付けたテーブルＴＢ１を格納する。制御部１２０は、単方向通信チャネルにおける受信信号品質情報を、テーブルＴＢ１の対応付けに応じた位置に配置した信号を、双方向通信チャネルを介して相手側通信装置に送信するように通信部１１０の送信部１１０Ｔを制御する。
【００３４】
次に、無線通信装置の典型例である基地局（装置）、および、基地局の通信相手である無線端末に本発明を具体的に適用して説明する。図２は、本発明の一実施態様による無線通信システムの構成例を示す図である。基地局ＢＳ１，ＢＳ２は、それぞれ１本のアンテナを持ち、無線端末ＴＭ１，ＴＭ２との間でデジタル無線経路を確立させる。チャネルモデルとしては、基地局と無線端末との間には多数の散乱体が分布していて、周波数非選択性の多重伝播路が形成されているものと仮定する。無線端末は移動可能であることにより、無線端末と基地局との多重伝播路はそれぞれ異なるドップラー周波数を有することとなる。無線端末と基地局はTDMA-TDD方式のデジタル無線通信により通信を行う。
【００３５】
図３にTDMA-TDDのフレームフォーマット例を示す。図に示す通り、TDMA-TDDのフレームは、TDMA 3多重でアップリンクとダウンリンクで対称長のスロットを持つ。１フレームは3多重されていて、アップリンク・ダウンリンクともに3つのスロットに分けられている。アップリンクスロットおよびダウンリンクスロットは、１つの時間配分は817μsecとなっていて、３つのアップリンクスロットが連続する。アップリンクスロットの後方にはアップリンク・ダウンリンク間のガードタイムが設けられ、ダウンリンクスロットのグループが続く。
【００３６】
最初のアップリンクスロットと最初のダウンリンクスロットとがペアとなり、１つの双方向通信チャネルを形成する。二番目および三番目のアップリンク・ダウンリンクスロットのペアも同様となる。図４に、本実施態様で使用されるキャリア（周波数）の配置を示す。図に示すように、連続する周波数625KHzを一単位として4単位とする。
【００３７】
次に無線リソースについて説明する。TDMA-TDDフレームは5msecを1フレームとし、3多重とする。周波数チャネルは625KHz幅であり、4キャリア分の周波数チャネルを用いることができ、2.5MHzを占有する。周波数の低い順にキャリア０〜３とし、タイムスロット１〜タイムスロット３の組み合わせで12個のチャネルを形成する。ここで、キャリア０とスロット１との組み合わせを1ch（チャネル）とし、下の表のようにチャネル番号を割り当てる。1chは報知情報チャネル用に予約される。また、5chはトラフィックチャネル確立要求用に予約される。
【００３８】
【表２】
2009010632.tif 000004
【００３９】
基地局は、表２のように2ch〜4chおよび6ch〜12chまでの10個の論理チャネルリソースを管理し、無線端末からのトラフィックチャネル確立要求を5chで監視し、チャネルリソースをトラフィックチャネルに割り当てる基地局と無線端末との間で交換されるチャネル信号の種類は下の表の通りである。
【００４０】
【表３】
2009010632.tif 000005
【００４１】
トラフィックペイロード無線端末にはシステムでユニークに割り振られた無線端末ＩＤを有し、すべてのアップリンクチャネルのインフォーメーションシンボルに無線端末ＩＤを載せる。基地局は無線端末ＩＤにより無線端末を管理し、無線端末は無線基地局からのダウンリンクチャネルに無線端末ＩＤが含まれている場合、当該無線端末宛の無線端末ＩＤであるか否かを判定する。
【００４２】
報知情報チャネル（信号）は、既知のトレーニングシーケンスパターン、基地局ＩＤ毎にユニークとなる既知のインフォーメーションシンボルを持ち、１フレーム置きに報知情報チャネルの送信を行う。無線端末は論理チャネル1をモニタリングし、急峻なエネルギーの増加点から受信信号のキャプチャをはじめ、可能性のある複数の基地局ＩＤの既知インフォーメーションシンボルとの相関を調べ、一番相関が高い基地局ＩＤである基地局の報知情報チャネルであると判断し、当該基地局ＩＤとタイミングとを格納する。報知情報チャネル信号の受信後は、受信スロット位置の調整を行い、基地局との同期を試みる。基地局と無線端末は報知情報チャネルの送信しているフレームを偶数フレーム、報知情報チャネルの送信していないフレームを奇数フレームと判断する。
【００４３】
トラフィックチャネルの開始は、無線端末がトラフィックチャネル開始要求チャネル信号を送信する事から始める。トレーニングシーケンスパターンには基地局ＩＤ毎にユニークとなる。無線端末はトラフィックチャネル開始チャネル信号のインフォーメーションシンボルに無線端末のＩＤを含めて5chを用いて送信を行う。基地局は空いているチャネルリソースがある場合は、空いているチャネルリソースを当該ＩＤの無線端末のために確保し、インフォーメーションシンボルに無線リソースのチャネル番号を含めてトラフィックチャネル許可信号を送信する。基地局がトラフィックチャネル許可信号を送信し、かつ無線端末が当該信号を受信した場合、次のフレームにおいて、トラフィックチャネル許可信号に含まれるチャネル番号の無線リソースを用いてトラフィックチャネルを開く。
【００４４】
無線端末はトラフィックチャネルを開いている場合において、アップリンクのデータ流量を調査し、流量がトラフィックチャネルの容量より大きくなった場合は、アップリンクスロット追加要求信号を送信する。基地局はトラフィックチャネルを開いている場合において、ダウンリンクのユーザデータの流量を調査し、流量が現在開いているトラフィックチャネルより大きく、無線端末からアップリンクスロット追加要求を受信している場合、現在当該無線端末との間で使用していないタイムスロットが属するトラフィックチャネル番号のトラフィックチャネルが空いているか否かを検査する。ダウンリンクのユーザデータの流量が大きく、かつ、トラフィックチャネルに空きがある場合、当該空きチャネルを無線端末との追加用の双方向トラフィックチャネルとして予約するとともに、基地局は無線端末に対してトラフィックチャネル番号を付与してトラフィックチャネル追加許可信号を送信する。
【００４５】
ダウンリンクのユーザデータの流量が少なく、かつアップリンクスロット追加要求信号を受信していて、かつトラフィックチャネルに空きがある場合、当該空きチャネルを無線端末との追加用のアップリンク方向トラフィックチャネルとして予約するとともに、基地局は無線端末に対してトラフィックチャネル番号を付与してアップリンクスロット追加許可信号を送信する。トラフィックチャネルに空きが無い場合はトラフィックチャネルの追加を断念する。
【００４６】
無線端末はアップリンクスロット追加許可チャネル（信号）を受信した場合、アップリンク方向のみの単方向トラフィックチャネルが確立できたと認識し、次回以降の当該トラフィックチャネル受信時のＬＮＡのスイッチをオンにしない制御を行う。基地局はトラフィックチャネルを開いている場合において、ダウンリンクのユーザデータの流量を調査し、流量が現在開いているトラフィックチャネルより大きいか否かを推定する。大きいと推定した場合、もしくは無線端末からトラフィックチャネル追加要求を受信した場合、現在当該無線端末との間で使用していないタイムスロットが属するトラフィックチャネル番号のトラフィックチャネルが空いているか否かを検査する。
【００４７】
トラフィックチャネルが空いていて、かつ、無線端末からトラフィックチャネル追加要求を受信している場合、当該空きチャネルを当該無線端末の為に予約し、基地局は無線端末に対してトラフィックチャネル番号を付与してトラフィックチャネル追加許可チャネルを送信する。空きトラフィックの検査にて、空いているトラフィックチャネル番号が、現在当該無線端末との間で開いているトラフィックチャネルと同じキャリア番号のものがある場合は、優先して当該キャリア番号のトラフィックチャネルを用いる制御を行う。
【００４８】
トラフィックチャネルが空いていて、かつ、無線端末からトラフィックチャネル追加要求を受信していない場合、当該空きチャネルを当該無線端末の為に予約し、基地局は無線端末に対してトラフィックチャネル番号を付与してダウンリンクスロット追加指示チャネルを送信する。空きトラフィックの検査にて、空いているトラフィックチャネル番号が、現在当該無線端末との間で開いているトラフィックチャネルと同じキャリア番号のものがある場合は、優先して当該キャリア番号のトラフィックチャネルを用いる制御を行う。トラフィックチャネルに空きが無い場合はトラフィックチャネルの追加を断念する。
【００４９】
無線端末はダウンリンクスロット追加指示チャネル（信号）を受信した場合、基地局に対してダウンリンクスロット追加確認チャネル（信号）を送信する。その後、ダウンリンク方向のみの単方向トラフィックチャネルが確立できたと認識し、次回以降の当該トラフィックチャネル送信時の送信パワーアンプのスイッチをオンにしない制御を行う。次に、基地局と無線端末の間で交換される、チャネル信号を詳しく見てゆく。信号フォーマットは次の図で示す１種類とする。信号フォーマットダウンリンク／アップリンク方向とも、インフォーメーションシンボルにおけるヘッダフォーマットは共通であり、以下の表に示すフィールドから構成される。
【００５０】
【表４】
2009010632.tif 000006
【００５１】
インフォーメーションシンボルにおけるヘッダフォーマットには必ずタイプフィールドが含まれる。タイプフィールドは先頭ビットから３つまでを上限に、1が現れるまで検査することにより確認する。タイプフィールドのビットパターンとヘッダサイズの相関及び、後続するフィールドの相関を次の表に示す。
【００５２】
【表５】
2009010632.tif 000007
【００５３】
図６に、タイプフィールドのビットの組み合わせ（ビットパターン）による４種類のフォーマットを示す。図中の（ａ）、（ｂ）、（ｃ）、（ｄ）は、フォーマット１、２、３、４をそれぞれ示す。
【００５４】
パケットヘッダにはペイロード（図示せず）が後続する。ペイロードはパディングビット列とオクテットデータ列からなる。パディングビット列は、オクテットデータの開始位置を示すためのビット列であり、最初に現れる1までを言う。パディングビット列の直後に最初のオクテットデータのMSB(Most Significant Bit)が開始し、パケット全体の最後のビットが最終オクテットのLSB(Least Significant Bit)となる。運ぶべきオクテット数に応じてパディングビット列が変わるとともに、ヘッダ長に応じて運ぶ事のできる最高オクテット数が変わる。何れのヘッダを用いてもオクテットデータ無しとすることができる。これを特別に空データパケットと呼ぶ。
【００５５】
シーケンスナンバーフィールド（図示せず）には、最後のデータのシーケンス番号を13bit全体として格納する。運搬するべきデータが119bit目を基準に後続データのLSBから並べられ、空いたビットには、パディングビット(Padding bit)で埋められる。パディングビットはデータの先頭を示すためのビット列で、ヘッダ以降最初に現れる1の次が先頭データのMSBとなる。運搬するべきデータが存在しない場合は全てがパディングビットで埋められる。
【００５６】
インフォーメーションシンボル長は全てのモジュレーションクラスで一定であるが、モジュレーションクラス毎にシンボルレートが異なるため、ヘッダ及びパディングビットを含むペイロードの合計のレングスは、モジュレーションクラス毎に異なることになる。下の表にモジュレーションクラスの例を示す。モジュレーションクラスは変調方式とチャネルコーディングとの組み合わせにより次の表のように変調クラスを0〜7まで定義する。
【００５７】
【表６】
2009010632.tif 000008
【００５８】
このようにモジュレーションクラスが高くなるに従って、所要SNRが大きくなり、かつ、データレートが高くなるように変調方式とコーディングレートとの組（セット）を選択する。送信側は受信側が通知する受信SNRを調査し、所要SNRを満たす最も大きなモジュレーションクラスを選択してモジュレートを行う。送信側は選択したモジュレーションクラス番号を固定モジュレーションシンボル部で受信側に通知する。受信側は先ず固定モジュレーションクラスシンボル部をモジュレーションクラス０としてデモジュレートし、デコードで得た数値を当該受信バースト信号のモジュレーションクラスであると判断し、インフォーメーションシンボルのデモジュレートを行う。モジュレーションクラス毎のデータレートは、ヘッダ種別によって異なる。ヘッダ長が長い場合は、ペイロード長が相対的に短くなる為、ヘッダ１が最もデータレートが高くヘッダ４が最もデータレートが低いこととなる。
【００５９】
すべてのチャネルが双方向チャネルのみである場合は、アップリンクおよびダウンリンクチャネルは、共に、ヘッダフォーマット１を用いて通信を行う。これは双方向通信チャネルが１つ（即ち、アップリンクチャネルとダウンリンクチャネルとからなる一対）のみ確立している場合でも複数確立している場合でも同様である。図７に、「双方向通信チャネルが１つ」のみ確立している場合のシーケンス図を示す。図に示すように、無線端末ＴＭ１は、フォーマット２を使って、フィードバック情報としてダウンリンクで受信した信号から求めた受信SNR0を含むパケットを、当該ダウンリンクチャネルと対をなすアップリンクチャネルを介して基地局ＢＳ１に送信する。このパケットを受信した基地局ＢＳ１は、受信信号品質情報として受信SNR0を求める（ステップＢ１）。次に、基地局ＢＳ１は、フォーマット２を使って、求めたアップリンクチャネルで受信した信号の受信SNR0を含むパケットを、ダウンリンクチャネルを介して無線端末ＴＭ１に送信する。このパケットを受けた無線端末ＴＭ１は、受信した信号から受信信号品質情報として受信SNR0を求める（ステップＴ１）。その後、無線端末ＴＭ１は、フォーマット２を使って、求めたダウンリンクチャネルで受信した信から求めた受信SNR0を含むパケットを、アップリンクチャネルを介して無線端末ＴＭ１に送信する。
【００６０】
図８に、双方向通信チャネルが３つ存在する場合のシーケンス図を示す。図に示すように、双方向通信チャネルは、ch0、ch1、ch2の３本ある。双方向通信チャネルのダウンリンク／アップリンクチャネルの受信信号品質情報である受信SNR0は、フォーマット２を使って双方向通信チャネル毎に独立して送受信される。例えば、ch0のアップリンク通信チャネルを経由して受信したパケット（信号）の受信SNR0は、ステップＢ１にて求められる。そして、基地局ＢＳ１により、求めた受信SNR0が、同じch0のダウンリンク通信チャネル（即ち、当該アップリンク通信チャネルと対を成すダウンリンク通信チャネル）を経由して基地局ＢＳ１から無線端末ＴＭ１に送信される。ch1,ch2のアップリンク通信チャネルを経由して受信したパケット（信号）の受信SNR0も、ステップＢ２、Ｂ３にて求められる。これらの受信SNR0も、同様に、ch1,ch2のダウンリンク通信チャネルを経由して基地局ＢＳ１から無線端末ＴＭ１にそれぞれ送信される。
【００６１】
他方、無線端末ＴＭ１は、ステップＴ１，２，３にて、受信したパケット（信号）の受信信号品質情報として受信SNR0を各チャネルch0,ch1,ch2に対してそれぞれ求める。これらの受信SNR0も、同様に、ch1,ch2のアップリンク通信チャネルを経由して無線端末ＴＭ１から基地局ＢＳ１にそれぞれ送信される。このように、双方向通信チャネルの場合には、どのチャネルも反対方向の通信チャネルを持ち、必ずチャネルペアを構成するため、受信信号品質情報である受信SNR0をスムーズに何ら問題なく送受信して、リンクアダプテーションを実行することが可能である。
【００６２】
単方向のチャネルを１つ含む場合は、単方向のチャネルにおいて、ヘッダフォーマット２を用い、双方向チャネルにおける単方向チャネルと同方向のチャネルではヘッダフォーマット１を用いる。また、双方向チャネルにおける単方向チャネルと逆方向のチャネルではヘッダフォーマット３を用いる。
【００６３】
図９に、基地局と無線端末の間に、双方向通信チャネル１本と、無線端末から無線基地局への単方向通信チャネル１本とが確立されている場合のシーケンス図を示す。図に示すように、ch0は双方向のチャネルであり、ch1は無線端末ＴＭ１から基地局ＢＳ１への単方向（アップリンク方向）通信チャネルである。従って、基地局ＢＳ１は、フォーマット２を使って、フィードバック情報としてダウンリンクで受信した信号から求めた受信SNR0を含むパケットを、当該ダウンリンクチャネルと対をなすアップリンクチャネルを介して基地局ＢＳ１に送信する。このパケット（信号）を受信した基地局ＢＳ１は、受信した信号から受信信号品質情報として受信SNR0を求める（ステップＢ１）。以降、説明の便宜上、双方向のチャネルを主チャネル、単方向チャネルを副チャネルと称することがある。
【００６４】
また、ch1は、無線端末ＴＭ１から基地局ＢＳ１への単方向（アップリンク方向）通信チャネルであり、当該単方向通信チャネルを経由して無線端末ＴＭ１から基地局ＢＳ１へフォーマット１を用いたパケットが送信される。これを受信した基地局ＢＳ１は、単方向通信チャネルのパケット（信号）からも受信信号品質情報として受信SNR1を求める（ステップＢ２）。しかし、ch1は、単方向（アップリンク方向）通信チャネルであるため、ch1は受信SNR1を返送すべき反対方向の通信チャネルを持っていない。従って、基地局ＢＳ１の単方向通信チャネルであるch1を処理するch1用タスク（或いはハードウェアや回路）は、求めた受信SNR1を、双方向通信チャネルであるch0を処理するch0用タスク（或いはハードウェアや回路）に内部転送する。基地局ＢＳ１のch0用タスクは、ch1から内部転送された受信SNR1を受取り、フォーマット３を用いて、自己が管理すべき受信SNR0と、内部転送された受信SNR1とを格納したパケット（信号）を、双方向通信チャネルch1を経由して無線端末ＴＭ１に送信する。このパケットを受信した無線端末ＴＭ１のch0用タスクは、自己が管理する情報でない受信SNR1を当該パケットから分離／抽出して、分離／抽出した受信SNR1をch1用タスクに内部転送する。ch1用タスクは、内部転送された受信SNR1を用いて、変調クラスの変更および／または送信電力の調整などを行い、適正なリンクアダプテーション処理を実行して、次回のch1での送信に備える。
【００６５】
このようにして、双方向通信チャネル用タスクと、単方向通信チャネル用タスクとの間で受信信号品質情報である受信SNRを内部転送して、単方向通信チャネルで伝送された信号の受信SNRを、双方向通信チャネルを経由して送信することによって、リンクアダプテーション処理を正常に機能させることが可能となる。また、このパケット（信号）を受けた無線端末ＴＭ１のch0用タスクは、受信した信号から受信信号品質情報として受信SNR0を求める（ステップＴ１）。
【００６６】
図１０に、基地局と無線端末の間に、双方向通信チャネル１本と、無線端末から無線基地局への単方向通信チャネル２本とが確立されている場合のシーケンス図を示す。図に示すように、ch0は双方向のチャネルであり、ch1,ch2は無線端末ＴＭ１から基地局ＢＳ１への単方向（アップリンク方向）通信チャネルである。従って、基地局ＢＳ１は、フォーマット２を使って、フィードバック情報としてダウンリンクで受信した信号から求めた受信SNR0を含むパケットを、当該ダウンリンクチャネルと対をなすアップリンクチャネルを介して基地局ＢＳ１に送信する。このパケット（信号）を受信した基地局ＢＳ１は、受信した信号から受信信号品質情報として受信SNR0を求める（ステップＢ１）。
【００６７】
また、ch1,ch2は、無線端末ＴＭ１から基地局ＢＳ１への単方向（アップリンク方向）通信チャネルであり、当該単方向通信チャネルを経由して無線端末ＴＭ１から基地局ＢＳ１へフォーマット１を用いたパケットがそれぞれ送信される。これらを受信した基地局ＢＳ１は、単方向通信チャネルのパケット（信号）からも受信信号品質情報として受信SNR1をそれぞれ求める（ステップＢ２，Ｂ３）。しかし、ch1,ch2は、単方向（アップリンク方向）通信チャネルであるため、ch1,ch2は受信SNR1,SNR2を返送すべき反対方向の通信チャネルを持っていない。従って、基地局ＢＳ１の単方向通信チャネルであるch1,ch2を処理するch1,ch2用タスク（或いはハードウェアや回路）は、求めた受信SNR1,SNR2を、双方向通信チャネルであるch0を処理するch0用タスク（或いはハードウェアや回路）に内部転送する。
【００６８】
基地局ＢＳ１のch0用タスクは、ch1,ch2から内部転送された受信SNR1,SNR2を受取り、フォーマット４を用いて、自己が管理すべき受信SNR0と、内部転送された受信SNR1,SNR2とを格納したパケット（信号）を、双方向通信チャネルch1を経由して無線端末ＴＭ１に送信する。このパケットを受信した無線端末ＴＭ１のch0用タスクは、自己が管理する情報でない受信SNR1,SNR2を当該パケットから分離／抽出して、分離／抽出した受信SNR1をch1,ch2用タスクにそれぞれ内部転送する。ch1用タスクは、内部転送された受信SNR1を用いて、変調クラスの変更および／または送信電力の調整などを行い、適正なリンクアダプテーション処理を実行して、次回のch1での送信に備える。同様に、ch2用タスクは、内部転送された受信SNR2を用いて、変調クラスの変更および／または送信電力の調整などを行い、適正なリンクアダプテーション処理を実行して、次回のch2での送信に備える。このようにして、双方向通信チャネル用タスクと、単方向通信チャネル用タスクとの間で受信信号品質情報である受信SNRを内部転送して、単方向通信チャネルで伝送された信号の受信SNRを、双方向通信チャネルを経由して送信することによって、リンクアダプテーション処理を正常に機能させることが可能となる。即ち、双方向通信チャネルが単方向通信チャネルの受信SNRを代理送信する。また、このパケット（信号）を受けた無線端末ＴＭ１のch0用タスクは、受信した信号から受信信号品質情報として受信SNR0を求める（ステップＴ１）。
【００６９】
なお、双方向チャネルが２本、単方向チャネルが１本であってもよい。この場合、双方向チャネルのうち、若い番号のチャネルを主チャネルとし、他方の双方向チャネルを独立チャネルと位置づける。副チャネルはヘッダフォーマット２を用いて送信を行う。副チャネルで送信できない受信SNRは主チャネルを用いてヘッダフォーマット３で代理として送信される。独立チャネルではヘッダフォーマット１を用いて通信を行う。
【００７０】
図１１は、基地局２００（ＢＳ１）の内部構成の概略を示すブロック図である。図に示すように、基地局２００は、タイミングプロセッサ２１０、アンテナミキサ２２０、主制御部２４０、およびアンテナＡＮＴを具える。タイミングプロセッサ２１０は、TDMA-TDDフレーム構成例で示すフレームタイミングの生成および、ダウンリンク信号フォーマットで示す送信タイミングの生成および、アップリンク受信タイミングの生成を行う。基地局は、４つのキャリア各々を担当するIF（中間周波数）信号合成・分離部２３０，２３１，２３２，２３３をさらに具える。
【００７１】
以降、キャリア０用のブロックを例として説明するが、他のキャリア用のブロックも同様の機能を持つ。基地局２００は、１本のアンテナＡＮＴで、４つのキャリア全ての送受信を行う。RF用機能部は、キャリア毎に用意することにより、全てのキャリアを同時に取り扱うことができるようにする。アンテナ端で受信した受信信号は、アンテナミキサ２２０によりキャリア毎の周波数に分割され、IF（中間周波数）信号合成・分離部２３０，２３１，２３２，２３３に渡される。また、キャリア毎に用意されたIF（中間周波数）信号合成・分離部２３０，２３１，２３２，２３３からの信号はアンテナミキサ２２０により合成されてアンテナＡＮＴのアンテナ端から発射される。
【００７２】
主制御部２４０は、複数のユーザセッションを管理し、ユーザセッションが用いるチャネル番号および数を管理すると共に、ユーザセッションデータを各チャネルに分配する。主制御部２４０は、チャネル毎の、タイミングプロセッサが生成するダウンリンク送信スロットタイミングに同期して、キャリア番号毎に用意されているチャネル制御部（図示せず）へ送信データを渡す。例えば、キャリア０用チャネル制御部は、ダウンリンク送信時において、主制御部２４０からの送信データを、タイミングプロセッサによるスロットタイミング毎に、データをモジュレートして、キャリア０用IF信号合成・分離部２３０に渡す。
【００７３】
基地局２００の構成をさらに詳細に説明する。図１２は、キャリア０用IF信号合成・分離部２３０の内部構成を示すブロック図である。キャリア０のブロックを例として説明するが、他のキャリア用のブロックの構成・機能も同様である。図に示すように、キャリア０用IF信号合成・分離部２３０は、サーキュレータＣＩＲ、パワーアンプＰＡ、複数のミキサ、デジタルアナログコンバータＤＡＣ、アナログデジタルコンバータＡＤＣ、パワーアンプＰＡ、ローノイズアンプＬＮＡ、温度補償電圧制御水晶発振器ＶＣＴＣＸＯ、ＲＦ位相ロックループＲＦ−ＰＬＬ，ＩＦ位相ロックループＩＦ−ＰＬＬ、送信停止／開始管理部２５１、受信停止／開始管理部２５２、ベースバンド処理部２５３を有する。ベースバンド処理部２５３は、受信ＳＮＲ推定部２５４、固定モジュレーションクラスシンボルデコード部２５５、インフォメーションシンボルデモジュレート部２５６、インフォメーションシンボルモジュレート部２５７、および固定モジュレーションクラスシンボルモジュレート部２５８を具える。
【００７４】
アンテナミキサ２２０からの受信信号は、キャリア周波数ごとに設定された二段のミキサによりダウンコンバートされて、IF（中間周波数）信号に変換される。IF信号はADCにより標本化され、デジタル信号に変換される。デジタル信号は、先ず、受信ＳＮＲ推定部２５４に渡される。受信ＳＮＲ推定部２５４は、既知のトレーニングシーケンスシンボルと受信したバーストのトレーニングシンボルとの相関を調査し、受信SNRの推定を行う。推定した推定受信SNRは、主制御部２４０の受信ＳＮＲ管理部２４６に渡される。次に、デジタルデータは、固定モジュレーションクラスシンボルデコード部２５５に渡され、固定モジュレーションシンボル部（フィールド）をデコードする。固定モジュレーションシンボル部は、モジュレーションクラス０固定となっているので、受信側はモジュレーションクラス０と決め打ちしてデコードすることができる。固定モジュレーションクラスシンボルは、受信バーストのインフォーメーションシンボル部（フィールド）のモジュレーションクラスを示す。このようにしてインフォーメーションシンボルのモジュレーションクラスを取得した後、インフォーメーションシンボルデモジュレート部２５４は、取得したモジュレーションクラスの変調方式及びコーディングレートでインフォーメーションシンボル部をデモジュレートし、受信データとする。
【００７５】
次に主制御部２４０の構成を詳細に説明する。図１３は、主制御部２４０の内部構成を示すブロック図である。図に示すように、主制御部２４０は、フロー管理部２４１、チャネル割当管理部２４２、ヘッダフォーマット決定部２４３、ダウンリンク流量監視部２４４、モジュレーションクラス決定部２４５、受信ＳＮＲ管理部２４６、および上位層ＵＬ１，ＵＬ２，…ＵＬ８を具える。フロー管理部２４１は、ユーザセッションとトラフィックチャネルとの関連付けを行う。ユーザセッション１つに対して最大3つのトラフィックチャネルを持つ事ができる為、関連付けは1対1〜1対3になる。チャネル割当管理部２４２は、10個のトラフィックチャネルの使用状況を記憶し、新たなトラフィックの追加時に空いているトラフィックチャネルの割り当てを行う制御を行う。ダウンリンク流量監視部２４４は、キャリア０−３用のダウンリンク流量監視部ＤＦ０−３を持つ。
【００７６】
トラフィックチャネル毎のユーザデータはフロー管理部２４１に渡される。任意のユーザセッションの上位層からの送信データは、当該ユーザセッションが用いているトラフィックチャネルに分配される。フロー管理部２４１は、当該トラフィックチャネルのタイムスロットタイミング毎に、キャリア番号に対応するユーザデータをダウンリンク流量監視部２４４に送信する。この時、ユーザセッション毎に用意される、ヘッダ管理部２４１Ｈ１−８は、受信信号品質情報として受信SNRを管理し、信号毎にヘッダを付与する。
【００７７】
フロー管理部２４１は、ダウンリンク流量監視部２４４が追加のダウンリンクを必要と判断した場合、現在使用しているトラフィックチャネルと同じ周波数キャリア上のトラフィックチャネルが空いているか否かを検査する。存在する場合は、指定されたトラフィックチャネル番号を含む、ダウンリンクスロット追加指示信号を、無線端末に対して送信する。無線端末は、ダウンリンクスロット追加指示信号を受信した場合、基地局に対してダウンリンクスロット追加確認信号を送信する。
【００７８】
基地局２００におけるフロー管理部２４１は、ダウンリンクスロット追加確認信号を受信した場合、送信停止／開始管理部２５１にダウンリンクスロット追加確認信号に含まれるトラフィックチャネル番号、および、上述したトラフィックチャネルと同じキャリア番号であるトラフィックチャネルのトラフィックチャネル番号を設定する。送信停止／開始管理部２５１は、ダウンリンクスロットのみのトラフィックチャネル（即ち、単方向通信チャネル）が存在するとき、チャネル制御部（図示せず）に対して、ダウンリンクスロットのみのトラフィックチャネルのタイムスロット番号、および、アンテナウエイトを流用するタイムスロット番号を通知する。
【００７９】
上記処理は同一周波数チャネル上のアグリゲート可能な場合、記憶部（図示せず）に設けたアグリゲート数変更可能フラグのオン／オフさせる事で管理を行う。同一チャネルでのアグリゲートであるか否かは、基地局側でも無線端末側でも認識可能であり、各々で記憶部（図示せず）に格納して管理する。また、本処理はアグリゲートを行う際、同一キャリアに集めることを目標とするが、同一キャリア上に空きトラフィックチャネルが存在しない場合は他のキャリアのトラフィックチャネルを割り当てる制御を行う。
【００８０】
次に、上述した基地局の通信相手となる無線端末の構成を説明する。図１４は、無線端末３００（ＴＭ１，ＴＭ２）の構成を示すブロック図である。図に示すように、無線端末３００は１本のアンテナＡＮＴ１のみを持つ。また、無線端末３００は、タイミングプロセッサ（スケジューラ）３１０、サーキュレータＣＩＲ、および上位層ＵＬを有する。また、無線端末３００は、複数のミキサ、デジタルアナログコンバータＤＡＣ、アナログデジタルコンバータＡＤＣ、パワーアンプＰＡ、ローノイズアンプＬＮＡ、温度補償電圧制御水晶発振器ＶＣＴＣＸＯ、ＲＦ位相ロックループＲＦ−ＰＬＬ、ＩＦ位相ロックループＩＦ−ＰＬＬ、受信停止／開始管理部３２０、ベースバンド処理部３３０、フロー管理部３４０、受信ＳＮＲ管理部３４０、モジュレーションクラス決定部３５０、ヘッダフォーマット決定部３７０、チャネル割当管理部３８０、およびアップリンク流量監視部３９０をさらに有する。ベースバンド処理部３３０は、受信ＳＮＲ推定部３３１、固定モジュレーションクラスシンボルデコード部３３２、インフォメーションシンボルデモジュレート部３３３、インフォメーションシンボルデモジュレート部３３４、および固定モジュレーションクラスシンボルモジュレート部３３５を有する。また、フロー管理部３６０はヘッダ管理部３６０Ｈを有する。
【００８１】
タイミングプロセッサ３１０はTDMA-TDDフレームに応じた送信及び受信のタイミングを生成する。任意のタイムスロット番号におけるダウンリンク受信タイミングにおいて、アンテナＡＮＴ１から受信した受信信号は、ＬＮＡにより増幅される。受信に先立ち、ベースバンド処理部３３０は、VCTCXOに対して受信するトラフィックチャネルのキャリア番号に応じた周波数設定に変更する。ＬＮＡで増幅された受信信号は二段のミキサによりIF信号に変換され、ADCにより標本化されてデジタルデータに変換される。デジタルデータは、受信ＳＮＲ推定部３３１に渡される。受信ＳＮＲ推定部３３１は、既知のトレーニングシーケンスシンボルと受信したバーストのトレーニングシンボルとの相関を調査し、受信SNRの推定を行う。推定した推定受信SNRはヘッダ管理部３６０Ｈに渡され、管理される。次に、受信バーストは固定モジュレーションクラスシンボルデコード部３３２に渡され、固定モジュレーションシンボル部（フィールド）をデコードする。
【００８２】
固定モジュレーションシンボル部（フィールド）はモジュレーションクラス０固定となっているので、受信側はモジュレーションクラス０と決め打ちしてデコードする事ができる。固定モジュレーションクラスシンボルは受信バーストのインフォーメーションシンボル部（フィールド）のモジュレーションクラスを示す。このようにしてインフォーメーションシンボルのモジュレーションクラスを取得した後、取得したモジュレーションクラスの変調方式及びコーディングレートでインフォーメーションシンボル部をデコードし、受信データとする。フロー管理部３６０は、複数のトラフィックチャネルからの受信データを合成して、受信ユーザデータに変換する。
【００８３】
任意のタイムスロット番号におけるアップリンク送信タイミングにおいて、フロー管理部３６０からユーザデータが当該タイムスロットのトラフィックチャネル分として、ベースバンド処理部３３０にユーザデータが渡される。この時、ヘッダ管理部３６０Ｈは、受信SNR情報を管理し、信号毎にヘッダを付与する。このユーザデータは複数のトラフィックチャネルを用いる場合は分割されたものとなる。また、ベースバンド処理部３３０は、送信に先立ち、VCTCXOに対して送信するトラフィックチャネルのキャリア番号に対応した周波数設定に変更する。また、ベースバンド処理部３３０は、送信ユーザデータをモジュレートして送信IF信号に変換する。送信IF信号は二段のミキサによりキャリア番号に対応した送信周波数に変調され、パワーアンプＰＡで増幅された後、アンテナＡＮＴ１のアンテナ端から発射される。
【００８４】
トラフィックチャネルは１つのユーザセッションに対して、最大3つ持つ事ができるものとする。タイムスロット毎に別のトラフィックチャネルを用いる。今ここで、基地局と無線端末の間で、１つのトラフィックチャネルを開いており、かつ、アップリンク方向のみに追加のトラフィックが必要であるものとする。アップリンクのデータトラフィック流通量は多く二つ分のトラフィックチャネルが必要であるが、ダウンリンクデータ流通量は１つのトラフィックチャネルで十分であると、基地局が判断した場合、２つのトラフィックチャネルを開いてしまうと、ダウンリンクのトラフィックチャネルは運搬するべきデータが無い為、空データパケットを送信することになる。当該トラフィックチャネルは、同じ基地局の他の空間多重接続している無線端末、及び他の基地局に接続しているユーザとの間で共有している。意味の無い電波発射は他の、当該トラフィックチャネルを共有している無線端末との間の通信における妨害波となるので、発射しない事が望ましい。これを実現させる為に、アップリンク方向のみの送信を追加する制御を行う。
【００８５】
以上の処理により、無線端末はアップリンクのトラフィックは多いもののダウンリンクのトラフィックが少ない場合において、ダウンリンク方向の電波発射を停止する事ができる。この結果、不要な電波発射を少なくする事が可能となり、他の同一トラフィックチャネルを用いている無線端末-基地局間のダウンリンク方向の妨害波を少なくする事ができ、結果としてシステム全体の周波数利用効率を上げる。
【００８６】
また、今ここで、基地局と無線端末の間で、１つのトラフィックチャネルを開いており、かつ、ダウンリンク方向にのみアグリゲートが必要な状況であるとする。ダウンリンクのデータトラフィック流通量は多く、２つ分のトラフィックチャネルが必要であるが、アップリンクデータ流通量は１つのトラフィックチャネルで十分であると基地局が判断した場合、２つのトラフィックチャネルを開いてしまうと、アップリンクのトラフィックチャネルは運搬するべきデータが無い為、空データパケットを送信することになる。
【００８７】
当該トラフィックチャネルは、同じ基地局の他の空間多重接続している無線端末、及び他の基地局に接続しているユーザーとの間で共有している。意味の無い電波発射は他の、当該トラフィックチャネルを共有している無線端末との間の通信における妨害波となるので、発射しない事が望ましい。これを実現する為に、アップリンク方向の送信を停止する制御を行う。アグリゲート数変更可能フラグがオンである場合、無線端末は、ダウンリンクのトラフィックは多いもののアップリンクのトラフィックが少ない場合において、アップリンク方向の電波発射を停止する事ができる。この結果、不要な電波発射を少なくする事が可能となり、他の同一トラフィックチャネルを用いている無線端末-基地局間のアップリンク方向の妨害波を少なくする事ができ、結果としてシステム全体の周波数利用効率を上げる事ができる。
【００８８】
また、無線端末は不要な電波の発射を行わないようにする事で、バッテリーセービングの効果を得る事ができる。無線端末において、パワーアンプの消費電流が、全体の消費電流に対して支配的である場合が多く、パワーアンプスイッチがオンである時間をできるだけ低減させる事はバッテリーセービングに貢献する。２つのトラフィックチャネルを使用している状態で、１つのトラフィックチャネルのアップリンク方向の電波の送信を省略した場合、パワーアンプの消費電流を半減できる。
【００８９】
以上の処理により、基地局はダウンリンクのトラフィックは多いもののアップリンクのトラフィックが少ない場合において、ダウンリンク方向のトラフィックチャネルを追加し、かつアップリンク方向の電波の発射を実行しない事ができる。この結果、不要な電波発射を少なくする事が可能となり、他の同一トラフィックチャネルを用いている無線端末-基地局間のアップリンク方向の妨害波を少なくする事ができ、結果としてシステム全体の周波数利用効率を向上させる事ができる。
【００９０】
また、無線端末は不要な電波の送信を行わないようにする事で、バッテリーセービングの効果を得る事ができる。無線端末において、送信パワーアンプの消費電流が、全体の消費電流に対してかなりの部分を占める場合が多く、送信パワーアンプスイッチがオンである時間をできるだけ低減させる事はバッテリーセービングに貢献する。２つのトラフィックチャネルを使用している状態で、１つのトラフィックチャネルのダウンリンク方向の電波の受信を省略した場合、受信アンプアンプの消費電流を半減できる。
【００９１】
追加の単方向のトラフィックチャネルが不要になった場合は、基地局から無線端末に対して、ダウンリンクスロット停止指示を送信する。上記の処理に従い、追加のトラフィックチャネルの停止を行う事ができる。無線端末はダウンリンクスロット停止指示を受信後、基地局に対してダウンリンクスロット停止確認を送信すると共に、当該単方向トラフィックチャネルが閉じたものと認識する。
【００９２】
以上の処理により、アップリンク・ダウンリンクで非対称数のチャネルの形成を行うと、不要な電波の発射を無くす事ができる。このような、アップリンク・ダウンリンクで非対称数のチャネルにて、リンクアダプテーションを実現させるために、ヘッダフォーマット決定部３７０を無線端末３００に設けてある。ヘッダフォーマット決定部３７０は、送信するべき、もしくは受信するべき副チャネルの数に応じて次のフローで示す処理を行い、ヘッダフォーマットを決定する。なお、ヘッダフォーマット決定部２４３，３７０の動作は基地局２００と無線端末３００とで共通となる。
【００９３】
図１５に、相手側通信装置に信号を送信する場合のヘッダフォーマット選択処理を示すフローチャートを示す。このヘッダフォーマット選択処理は、基地局２００、無線端末３００のヘッダフォーマット決定部２４３，３７０により実行されるが、受信信号の先頭に付加してあるヘッダフォーマットタイプを調べ、ヘッダフォーマットがどのタイプであるのかを判定し、判定結果に従ってヘッダを付与する処理である。図に示すように、ステップＳ１にて、送信するべき副チャネル（即ち、自装置から相手側通信装置への方向の単方向通信チャネル）が存在するか否かを判定する。送信するべき副チャネルが存在する場合は、今回の送信が送信するべき副チャネルのタイミングか否かを判定し（ステップＳ１０）、送信するべき副チャネルのタイミングの場合は、ヘッダフォーマット２を選択し（ステップＳ１１）、そうでない場合は、ヘッダフォーマット２を選択して（ステップＳ１２）、処理を終える。
【００９４】
ステップＳ１にて送信するべき副チャネルが存在しないと判定された場合は、ステップＳ２に進み、受信するべき副チャネルが存在するか否かを判定する。受信するべき副チャネルが存在しない場合は、ヘッダフォーマット２を選択して処理を終える（ステップＳ９）。ステップＳ２にて受信するべき副チャネルが存在しないと判定された場合は、今回の送信が主チャネルのタイミングか否かを判定する（ステップＳ３）。主チャネルのタイミングでない場合は、ステップＳ９にてヘッダフォーマット２を選択して処理を終える。主チャネルのタイミングであると判定された場合は、ステップＳ４にて、副チャネルの数が２か否かを判定する。副チャネルの数が２でないと判定された場合は、ヘッダフォーマット３を選択した後（即ち、副チャネルが１個の場合のフォーマット）、ステップＳ７に進む。副チャネルの数が２であると判定された場合は、ステップＳ５にて、ヘッダフォーマット４を選択する（即ち、副チャネルが２個ある場合のフォーマット）。その後、ステップＳ６にて、副チャネル２の受信SNR情報を受信SNR2にセットする。最後に、ステップＳ７にて、副チャネル１の受信SNR情報を受信SNR1にセットして処理を終える。このようにして、受信SNR情報を返信できない単方向（副）チャネルでも、主チャネルが代理として受信SNR情報を運搬することによって、リンクアダプテーションを実現することが可能となる。
【００９５】
図１６に、相手側通信装置からの信号を受信した場合の信号処理を示すフローチャートを示す。この処理では、受信データの先頭（タイプフィールド）を検査することによって、ヘッダフォーマットのタイプを判定する。図に示すように、ステップＳ２１にて、受信データの先頭が１であるか否かを判定する。先頭が１であると判定された場合は、受信データはヘッダフォーマット１であると見なし（受信SNR情報が存在しないフォーマットであると見なし）、受信データのペイロード部を解析し（ステップＳ３０）、処理を終える。ステップＳ２１にて先頭が１でないと判定された場合は、ステップＳ２２に進み、受信データの先頭が０１であるか否かを判定する。先頭が０１であると判定された場合は、受信データはヘッダフォーマット２であると見なし、受信データから受信SNRを１つ取得し、ペイロード部を解析し（ステップＳ２９）、処理を終える。
【００９６】
ステップＳ２２にて先頭が０１でないと判定された場合は、ステップＳ２３に進み、受信データの先頭が００１であるか否かを判定する。先頭が００１であると判定された場合は、受信データはヘッダフォーマット４であると見なし、受信データから受信SNRを３つ取得し、ペイロード部を解析する（ステップＳ２９）。次に、ステップＳ２７にて、副チャネル１に対する受信SNRをセットした後、ステップＳ２８で副チャネル１に対する受信SNRをセットし、処理を終える。ステップＳ２３にて、先頭が００１でないと判定された場合は、受信データはヘッダフォーマット３であると見なし、受信データから受信SNRを２つ取得し、ペイロード部を解析する（ステップＳ２４）。次に、ステップＳ２５にて、副チャネルに対する受信SNRをセットし、処理を終える。
【００９７】
このようにして、受信信号の先頭に付加する、ヘッダフォーマットタイプを調査して、ヘッダフォーマットを判断する。ヘッダに他チャネルの受信SNR情報が含まれる場合は、対応するトラフィックチャネルに対しての受信SNR情報として認識する事で、受信SNR情報を返信できない単方向チャネルでも、主チャネルが代理として受信SNR情報を運搬する事ができる。こうして、方向毎のチャネル数が非対称である伝送経路においても、リンクアダプテーションを実現し、電波状況が悪い場合での場所率の向上と、電波状況が良好である場合でのスループットの向上を実現できる。
【００９８】
また、ヘッダ内に、主チャネルや副チャネルの受信SNRが混在していても、ヘッダフォーマットを規定するテーブルを参照することによって、伝送路（副チャネル、主チャンネル）毎の受信SNR情報を適正に処理することが可能となり、従って、リンクアダプテーションを適正に機能させることもできるようになる。こうして、方向毎のチャネル数が非対称である伝送経路においても、リンクアダプテーション制御を実現し、信頼性の高い伝送経路を実現できる。
【００９９】
上記構成例では、送信する副チャネルはフォーマット１を用いるが、フォーマット１は受信SNR情報が一つも含まれない為、その分多くのユーザデータを運搬する事ができる。つまり、ヘッダフォーマット２を用いた信号に対してヘッダフォーマット１は少なくとも１オクテット余分に運搬できる。よって、二本のチャネルを確立した場合において、二つのチャネルにヘッダフォーマット１を割り当てた場合に比べて、少なくとも8*(1/0.05)=1600bpsのスループット向上となる。その代償として、反対方向のスループットはヘッダフォーマット３を用いる為、減ることになる。ヘッダフォーマット３はヘッダフォーマット２よりも少なくとも１オクテット運搬できるオクテット数が少ない。しかしながら、受信する副チャネルが有る状態では、送信するデータが無いか、少ない状態である為、スループットの減少は問題とならない。
【０１００】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の手段やステップなどを１つに組み合わせたり、或いは分割したりすることが可能である。例えば、実施態様では無線通信装置を用いた形式で本発明を説明したが、本発明は、有線通信装置にも適用し得るものであり、有線通信装置、方法およびシステムも、本発明の範囲に含まれるものと理解されたい。
【図面の簡単な説明】
【０１０１】
【図１】本発明の一実施態様による無線通信装置の基本構成を示すブロック図である。
【図２】本発明の一実施態様による無線通信システムの構成例を示す図である。
【図３】TDMA-TDDのフレームフォーマット例を示す図である。
【図４】本実施態様で使用されるキャリア（周波数）の配置を示す図である。
【図５】信号フォーマットの一例を示す図である。
【図６】タイプフィールドのビットの組み合わせ（ビットパターン）による４種類のフォーマットを示す図である。
【図７】双方向通信チャネルが１つのみ確立している場合のシーケンス図である。
【図８】双方向通信チャネルが３つ存在する場合のシーケンス図である。
【図９】基地局と無線端末の間に、双方向チャネル１本と、無線端末から無線基地局への単方向チャネルが１本とが確立されている場合のシーケンス図である。
【図１０】基地局と無線端末の間に、双方向チャネル１本と、無線端末から無線基地局への単方向チャネル２本とが確立されている場合のシーケンス図である。
【図１１】基地局２００（ＢＳ１）の内部構成の概略を示すブロック図である。
【図１２】キャリア０用IF信号合成・分離部２２０の内部構成を示すブロック図である。
【図１３】主制御部２４０の内部構成を示すブロック図である。
【図１４】無線端末３００（ＴＭ１，ＴＭ２）の構成を示すブロック図である。
【図１５】相手側通信装置に信号を送信する場合のヘッダフォーマット選択処理を示すフローチャートである。
【図１６】相手側通信装置からの信号を受信した場合の信号処理を示すフローチャートである。
【符号の説明】
【０１０２】
ＡＤＣ，ＡＤＣ１  アナログデジタルコンバータ
ＡＮＴ，ＡＮＴ１  アンテナ
ＴＢ１  テーブル
ＴＢ２  チャネル割当テーブル
ＴＢ３  基準流量テーブル
ＢＳ１，ＢＳ２  基地局
ＤＡＣ，ＤＡＣ１  デジタルアナログコンバータ
ＤＦ１−８  ダウンリンク流量監視部
ＩＦ−ＰＬＬ  ＩＦ位相ロックループ
ＬＮＡ  ローノイズアンプ
ＰＡ  パワーアンプ
ＲＦ−ＰＬＬ  ＲＦ位相ロックループ
ＴＭ１，ＴＭ２  無線端末
ＵＬ，ＵＬ１，ＵＬ２，ＵＬ８  上位層
ＶＣＴＣＸＯ  温度補償電圧制御水晶発振器
２００  基地局
２１０  タイミングプロセッサ
２２０  アンテナミキサ
２３０  キャリア０用チャネル制御部
２３１  キャリア１用チャネル制御部
２３２  キャリア２用チャネル制御部
２３３  キャリア３用チャネル制御部
２４０  主制御部
２４１  フロー管理部
２４１Ｈ１-Ｈ８  User1-8_ヘッダ管理部
２４２  チャネル割当管理部
２４３  ヘッダフォーマット決定部
２４４  ダウンリンク流量監視部
２４５  モジュレーションクラス決定部
２４６  受信ＳＮＲ管理部
２５１  送信停止／開始管理部
２５２  受信停止／開始管理部
２５３  ベースバンド処理部
２５４  受信ＳＮＲ推定部
２５５  固定モジュレーションクラスシンボルデコード部
２５６  インフォメーションシンボルデモジュレート部
２５７  インフォメーションシンボルモジュレート部
２５８  固定モジュレーションクラスシンボルモジュレート部
３００  無線端末
３１０  タイミングプロセッサ
３２０  受信停止／開始管理部
３３０  ベースバンド処理部
３３１  受信ＳＮＲ推定部
３３２  固定モジュレーションクラスシンボルデコード部
３３３  インフォメーションシンボルデモジュレート部
３３４  インフォメーションシンボルモジュレート部
３３５  固定モジュレーションクラスシンボルモジュレート部
３４０  受信ＳＮＲ管理部
３５０  モジュレーションクラス決定部
３６０  フロー管理部
３６０Ｈ  ヘッダ管理部
３７０  ヘッダフォーマット決定部
３８０  チャネル割当管理部
３９０  アップリンク流量監視部
ＣＩＲ  サーキュレータ
【図１】
2009010632.tif 000009
【図２】
2009010632.tif 000010
【図３】
2009010632.tif 000011
【図４】
2009010632.tif 000012
【図５】
2009010632.tif 000013
【図６】
2009010632.tif 000014
【図７】
2009010632.tif 000015
【図８】
2009010632.tif 000016
【図９】
2009010632.tif 000017
【図１０】
2009010632.tif 000018
【図１１】
2009010632.tif 000019
【図１２】
2009010632.tif 000020
【図１３】
2009010632.tif 000021
【図１４】
2009010632.tif 000022
【図１５】
2009010632.tif 000023
【図１６】
2009010632.tif 000024